【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
第１変調方式により変調される第１情報と、前記第１変調方式とは異なる第２変調方式により変調される第２情報とを含む複合画像情報を、符号化されたビットストリームとして出力する画像符号化装置であって、
量子化値に基づき入力データの量子化を行う量子化手段を含み、前記複合画像データを符号化する符号化器と、
該符号化器の符号量制御を行う符号量制御手段であって、
前記第１情報のビット数を計数する第１情報計数手段と、
前記第２情報のビット数を計数する第２情報計数手段と、
前記第１情報計数手段により計数された前記第１情報のビット数に基づいて、符号化された前記第１情報を前記第１変調方式で伝送するのに必要な時間を演算する第１情報伝送時間演算手段と、
符号化された前記第１情報を伝送するのに必要な時間と、伝送に使用可能な合計時間である全伝送時間とに基づいて、符号化された前記第２情報の伝送に使用可能な時間を演算する第２情報伝送時間演算手段と、
符号化された前記第２情報の伝送に使用可能な時間と前記第２変調方式とに基づいて伝送可能な前記第２情報のビット数を演算する第２情報伝送可能ビット数演算手段と、
前記第２情報伝送可能ビット数と第２情報計数手段により計数された前記第２情報のビット数とに基づいて、伝送可能な前記第２情報のビット数を超えた未伝送ビット数を演算する未伝送ビット数演算手段と、
前記未伝送ビット数に基づいて、前記第１情報を伝送するのに必要な時間と前記第２情報を伝送するのに必要な時間との合計が実質的に一定になるように、次の画像符号化処理に用いる量子化値を演算し前記量子化手段に出力する量子化値演算手段と
を備えた画像符号化装置。
【請求項２】
前記第１変調方式と前記第２変調方式とは、伝送品質又は伝送速度のうち少なくともいずれか一方が異なる
請求項１に記載の画像符号化装置。
【請求項３】
第１情報に対する変調方式である第１変調方式と、前記第１情報とは異なる第２情報と、伝送に使用可能な合計時間である全伝送時間とを指定する通信制御手段と、
それぞれの前記変調方式に基づいて画像データの変調を行う変調手段と、
該変調手段により変調された信号を出力するとともに、送られてきた無線信号を受信する無線送受信手段と、
該無線送受信手段が受信した信号を受け取り、前記通信制御手段により指定された変調方式により前記受信した信号を復調する復調手段と、
入力された画像データを符号化してビットストリームを生成する画像符号化手段であって、前記通信制御手段から指示された前記第１情報変調方式と前記第２情報変調方式と前記全伝送時間とに基づき、前記画像データに対して前記第１変調方式で変調される前記第１情報データと前記第２情報方式で変調される前記第２情報データとのそれぞれの符号化データのうち、前記全伝送時間内において伝送できなかった方の符号化データのビット数に基づいて、前記第１情報を伝送するのに必要な時間と前記第２情報を伝送するのに必要な時間との合計が実質的に一定になるように、次の全伝送期間における符号化制御の際の符号量制御を行う画像符号化手段と
を有する無線画像伝送装置。
【請求項４】
前記画像符号化手段は、
量子化値に基づき入力データの量子化を行う量子化手段を含み、前記複合画像データを符号化する符号化器と、
該符号化器の符号量制御を行う符号量制御手段であって、
前記第１情報のビット数を計数する第１情報計数手段と、
前記第２情報のビット数を計数する第２情報計数手段と、
前記第１情報計数手段により計数された前記第１情報のビット数に基づいて、符号化された前記第１情報を前記第１変調方式で伝送するのに必要な時間を演算する第１情報伝送時間演算手段と、
符号化された前記第１情報を伝送するのに必要な時間と、伝送に割り当てられた全伝送時間とに基づいて、符号化された前記第２情報の伝送に使用可能な時間を演算する第２情報伝送時間演算手段と、
符号化された前記第２情報の伝送に使用可能な時間と前記第２変調方式とに基づいて伝送可能な前記第２情報のビット数を演算する第２情報伝送可能ビット数演算手段と、
前記第２情報伝送可能ビット数と第２情報計数手段により計数された前記第２情報のビット数とに基づいて、伝送可能な前記第２情報のビット数を超えた未伝送ビット数を演算する未伝送ビット数演算手段と、
前記未伝送ビット数に基づいて、前記第１情報を伝送するのに必要な時間と前記第２情報を伝送するのに必要な時間との合計が実質的に一定になるように、次の画像符号化処理に用いる量子化値を演算し前記量子化手段に出力する量子化値演算手段と
を備えた
請求項３に記載の無線画像伝送装置。
【請求項５】
前記通信制御手段は、
さらに、伝送路のプロトコルと、前記第１情報の伝送に必要な時間と、前記第２情報の伝送に必要な時間とに基づいて、前記第１情報と前記第２情報との伝送に必要な帯域を前記全伝送時間に対してそれぞれ割り当てる
請求項３に記載の無線画像伝送装置。
【請求項６】
前記第１変調方式と前記第２変調方式とは、伝送品質又は伝送速度のうち少なくともいずれか一方が異なる
請求項３に記載の無線画像伝送装置。
【請求項７】
さらに、前記第１情報と前記第２情報とを符号化したビットストリームを記憶するバッファメモリを有する
請求項３に記載の無線画像伝送装置。
【請求項８】
さらに、前記通信制御手段は、前記ビットストリームの送信タイミングを管理し、前記バッファメモリに対して、記憶されたビットストリームを出力するタイミングを指示する
請求項７に記載の無線画像伝送装置。
【請求項９】
第１情報に対する変調方式である第１変調方式と、前記第１情報とは異なる第２情報と、伝送に使用可能な合計時間である全伝送時間とを指定する通信制御手段と、
前記変調方式に基づいて画像データの変調を行う変調手段と、
該変調手段により変調された信号を出力するとともに、送られてきた無線信号を受信する無線送受信手段と、
該無線送受信手段が受信した信号を受け取り、前記通信制御手段により指定された変調方式により前記受信した信号を復調する復調手段と、
入力された画像データを符号化してビットストリームを生成する画像符号化手段であって、前記通信制御手段から指示された前記第１情報変調方式と前記第２情報変調方式と前記全伝送時間とに基づき、前記画像データに対して前記第１変調方式で変調される前記第１情報データと前記第２情報方式で変調される前記第２情報データとのそれぞれの符号化データのうち、前記全伝送時間内において伝送できなかった方の符号化データのビット数に基づいて、前記第１情報を伝送するのに必要な時間と前記第２情報を伝送するのに必要な時間との合計が実質的に一定になるように、次の全伝送期間における符号化制御の際の符号量制御を行う画像符号化手段と
を有する無線画像伝送装置を備えた無線基地局と；
前記無線基地局で符号化され無線路に送出された画像データを復号することが可能な複数の移動局と
を備えた無線画像伝送システム。
【請求項１０】
前記画像符号化手段は、
量子化値に基づき入力データの量子化を行う量子化手段を含み、前記複合画像データを符号化する符号化器と、
該符号化器の符号量制御を行う符号量制御手段であって、
前記第１情報のビット数を計数する第１情報計数手段と、
前記第２情報のビット数を計数する第２情報計数手段と、
前記第１情報計数手段により計数された前記第１情報のビット数に基づいて、符号化された前記第１情報を前記第１変調方式で伝送するのに必要な時間を演算する第１情報伝送時間演算手段と、
符号化された前記第１情報を伝送するのに必要な時間と、伝送に割り当てられた全伝送時間とに基づいて、符号化された前記第２情報の伝送に使用可能な時間を演算する第２情報伝送時間演算手段と、
符号化された前記第２情報の伝送に使用可能な時間と前記第２変調方式とに基づいて伝送可能な前記第２情報のビット数を演算する第２情報伝送可能ビット数演算手段と、
前記第２情報伝送可能ビット数と第２情報計数手段により計数された前記第２情報のビット数とに基づいて、伝送可能な前記第２情報のビット数を超えた未伝送ビット数を演算する未伝送ビット数演算手段と、
前記未伝送ビット数に基づいて、前記第１情報を伝送するのに必要な時間と前記第２情報を伝送するのに必要な時間との合計が実質的に一定になるように、次の画像符号化処理に用いる量子化値を演算し前記量子化手段に出力する量子化値演算手段と
を備える
請求項９に記載の無線画像伝送システム。
【請求項１１】
第１変調方式により変調される第１情報と、前記第１変調方式とは異なる第２変調方式により変調される第２情報とを含む複合画像情報を、符号化されたビットストリームとして出力する画像符号化方法であって、
量子化値に基づき入力データの量子化を行う量子化処理を含み、前記複合画像データを符号化する符号化ステップと、
該符号化ステップにおいて符号量の制御を行う符号量制御ステップであって、
前記第１情報のビット数を計数するサブステップと、
前記第１情報を計数するサブステップにおいて計数された前記第１情報のビット数に基づいて、符号化された前記第１情報を前記第１変調方式で伝送するのに必要な時間を演算する第１情報伝送時間演算サブステップと、
符号化された前記第１情報を伝送するのに必要な時間と、伝送に使用可能な合計時間である全伝送時間とに基づいて、符号化された前記第２情報の伝送に使用可能な時間を演算する第２情報伝送時間演算サブステップと、
符号化された前記第２情報の伝送に使用可能な時間と前記第２変調方式とに基づいて伝送可能な前記第２情報のビット数を演算する第２情報伝送可能ビット数演算サブステップと、
前記第２情報のビット数を計数するサブステップと、
前記第２情報伝送可能ビット数と第２情報計数手段により計数された前記第２情報のビット数とに基づいて、伝送可能な前記第２情報のビット数を超えた未伝送ビット数を演算する未伝送ビット数演算サブステップと、
前記未伝送ビット数に基づいて、前記第１情報を伝送するのに必要な時間と前記第２情報を伝送するのに必要な時間との合計が実質的に一定になるように、次の画像符号化処理に用いる量子化値を演算し前記量子化手段に出力する量子化値演算サブステップと
を有する符号量制御ステップと
を備えた画像符号化方法。
【請求項１２】
第１情報に対する変調方式である第１変調方式と、前記第１情報とは異なる第２情報と、伝送に使用可能な合計時間である全伝送時間とを指定する通信制御ステップと、
それぞれの前記変調方式に基づいて画像データの変調を行う変調ステップと、
該変調ステップにより変調された信号を出力するとともに、送られてきた信号を受信する無線送受信ステップと、
該無線送受信ステップにおいて受信した信号を受け取り、前記通信制御ステップにおいて指定された変調方式により前記受信した信号を復調する復調ステップと、
入力された画像データを符号化してビットストリームを生成する画像符号化手段であって、前記通信制御手段から指示された前記第１情報変調方式と前記第２情報変調方式と前記全伝送時間とに基づき、前記画像データに対して前記第１変調方式で変調される前記第１情報データと前記第２情報方式で変調される前記第２情報データとのそれぞれの符号化データのうち、前記全伝送時間内において伝送できなかった方の符号化データのビット数に基づいて、前記第１情報を伝送するのに必要な時間と前記第２情報を伝送するのに必要な時間との合計が実質的に一定になるように、次の全伝送期間における符号化制御の際の符号量制御を行う画像符号化ステップと
を有する画像伝送方法。